(57)【要約】【課題】機器の遠隔操作を行うリモコンやＰＤＡ等の携帯端末装置に関し、操作回数が少なく、使い易い携帯端末装置を提供することを目的とする。【解決手段】表示手段１１にメニュー部の名称を表わす複数のタグ部２１Ａ，２１Ｂ，２１Ｃを表示すると共に、左方向の選択釦１２Ｆや右方向の選択釦１２Ｇの操作によって所定のタグ部の選択を行った後、制御手段１３がこの選択されたタグ部の内容をメニュー部に表示させることによって、表示手段１１に表示されているタグ部の選択を行うだけで、他のメニュー部へ直ちに切り替えられるため、操作回数が少なく、使い易い携帯端末装置を得ることができる。【選択図】　図１
2004064269.tif 000002
【特許請求の範囲】
【請求項１】
所定の機能を表示するメニュー部、及びこのメニュー部の名称を表わすタグ部を表示する表示手段と、選択釦及び決定釦が配設された操作手段と、この操作手段及び上記表示手段に接続された制御手段からなり、前記表示手段に複数のタグ部を表示すると共に、選択釦の操作によって所定のタグ部の選択を行った後、前記制御手段がこの選択されたタグ部の内容をメニュー部として表示する携帯端末装置。
【請求項２】
選択釦を上下又は左右の何れかの方向に回転する略円柱状の形状とし、この選択釦の回転操作に応じて、メニュー部又はタグ部の選択を行う請求項１記載の携帯端末装置。
【請求項３】
メニュー部に表示された複数の機能を略円弧状に配列した請求項２記載の携帯端末装置。
【請求項４】
メニュー部の選択された所定の機能を他の機能に比べて大きく表示した請求項１記載の携帯端末装置。
【請求項５】
選択釦又は決定釦の少なくとも一方を透明タッチパネルとし、これを表示手段の前面に配置した請求項１記載の携帯端末装置。
【請求項６】
選択釦の操作によって複数の機能を選択し、この組合せを新たな機能として制御手段が記憶する請求項１記載の携帯端末装置。
【請求項７】
選択釦の所定時間の継続操作によって選択された機能を、制御手段が新たな機能として記憶する請求項６記載の携帯端末装置。
【請求項８】
操作手段が所定時間操作されていないことを制御手段が検出し、表示手段の表示をＯＦＦする請求項１記載の携帯端末装置。
【発明の詳細な説明】
【０００１】
【発明の属する技術分野】
本発明は、機器の遠隔操作を行うリモコンや携帯情報端末（以下、ＰＤＡと記載する）等に用いられる携帯端末装置に関するものである。
【０００２】
【従来の技術】
近年、機器の遠隔操作を行うリモコンやＰＤＡ等の普及に伴い、それらに用いられる携帯端末装置にも使い易いものが求められている。
【０００３】
このような従来の携帯端末装置について、図７から図９を用いて説明する。
【０００４】
図７は従来の携帯端末装置の外観図、図８は同ブロック回路図であり、同図において、この携帯端末装置の左方前面には、液晶表示素子等の表示手段１が設けられている。
【０００５】
また、右方前面には、上下方向の選択釦２Ｄ，２Ｅ、左右方向の選択釦２Ｆ，２Ｇ、決定釦２Ｃ、電源釦２Ａ等が配設されて、操作手段２が形成されている。
【０００６】
そして、この内部にはマイクロコンピュータ等によって制御手段３が形成されると共に、この制御手段３からの電気信号を赤外光信号に変換して送信する送信手段４が表示手段１の上方に配設され、この送信手段４や操作手段２、表示手段１が制御手段３に接続されて携帯端末装置が構成されている。
【０００７】
以上の構成において、この携帯端末装置をリモコンとして用いて、例えばＴＶやＶＣＲのチャンネル選択や電源のＯＮ／ＯＦＦ等の遠隔操作を行う場合について説明する。
【０００８】
先ず、電源釦２Ａを押圧操作すると、制御手段３がこれを検出して、図９（ａ）の画面表示図に示すような、「ＴＶ」，「ＶＣＲ」，「ＳＴＢ」といった各機器の名称が機能として表示された初期画面が表示手段１に表示される。
【０００９】
そして、この時、表示内容の選択を行う半透明のカーソル１Ａは、一番上の「ＴＶ」の箇所に表示されている。
【００１０】
ここで、例えばＴＶのチャンネルを２に設定する場合には、既にカーソル１Ａが「ＴＶ」の箇所にあるため、この状態で決定釦２Ｃを押圧操作すると、制御手段３がこれを検出して表示手段１には、図９（ｂ）に示すような、ＴＶの電源のＯＮ／ＯＦＦを表わす「ＯＮ」，「ＯＦＦ」やＴＶのチャンネル数を表わす「１」，「２」等のＴＶの操作の内容が機能として表示されたメニュー画面が表示される。
【００１１】
なお、この画面では表示内容の選択を行う半透明のカーソル１Ａは、左上の「ＯＮ」の箇所に表示されている。
【００１２】
そして、選択しようとするチャンネルの「２」は、カーソル１Ａが位置している「ＯＮ」の右下方向に位置しているため、先ず下方向の選択釦２Ｅを１回押圧操作すると、制御手段３がこれを検出してカーソル１Ａは「１」に移動し、次に右方向の選択釦２Ｇを１回押圧操作すると、同様にしてカーソル１Ａは「２」の箇所に移動する。
【００１３】
この後、決定釦２Ｃを押圧操作すると、制御手段３がこれを検出して、「２」に対応した遠隔操作の電気信号を出力し、この電気信号を送信手段４が赤外光信号としてＴＶへ送信することにより、ＴＶが遠隔操作されて、ＴＶのチャンネルが「２」に設定される。
【００１４】
次に、遠隔操作する機器をＴＶからＶＣＲに切り替え、ＶＣＲの電源のＯＮ／ＯＦＦを行う場合について説明する。
【００１５】
先ず、表示手段１にＴＶの操作の内容が表示された図９（ｂ）の状態から、ＨＯＭＥ釦２Ｂを押圧操作すると、制御手段３がこれを検出して、図９（ａ）に示したような各機器の名称が表示された初期画面に一旦戻す。
【００１６】
そして、この状態で選択しようとする「ＶＣＲ」はカーソル１Ａが位置している「ＴＶ」の下方向に位置しているため、下方向の選択釦２Ｅを１回押圧操作して、カーソル１Ａを「ＶＣＲ」へ移動させる。
【００１７】
次に、この状態で決定釦２Ｃを１回押圧操作すると、図９（ｃ）に示すような、ＶＣＲの電源のＯＮ／ＯＦＦを表わす「ＯＮ」，「ＯＦＦ」やＶＣＲの録画を表わす「ｒｅｃ」等のＶＣＲの操作の内容を機能として表わすメニュー画面が、制御手段３によって表示手段１に表示される。
【００１８】
そして、この時、半透明のカーソル１Ａは左上の「ＯＮ」の箇所に表示されている。
【００１９】
この状態からＶＣＲの電源をＯＮする場合には、このまま決定釦２Ｃを押圧操作すると、制御手段３が「ＯＮ」に対応した遠隔操作の電気信号を出力し、送信手段４から赤外光信号がＶＣＲへ送信されて、ＶＣＲの電源がＯＮとなる。
【００２０】
つまり、遠隔操作しようとする機器を切り替える場合には、ＨＯＭＥ釦２Ｂを押圧操作して、一旦図９（ａ）の初期画面に戻し、その機器を選択した後、メニュー画面で各々の機器の操作を行うように構成されているものであった。
【００２１】
【発明が解決しようとする課題】
しかしながら上記従来の携帯端末装置においては、操作しようとする機器を変更する際、ＨＯＭＥ釦２Ｂを押圧操作して、一旦機器の名称が表示された初期画面に戻す必要があるため、操作回数が多く、取扱いが煩雑であるという課題があった。
【００２２】
本発明は、このような従来の課題を解決するものであり、操作回数が少なく、使い易い携帯端末装置を提供することを目的とする。
【００２３】
【課題を解決するための手段】
上記目的を達成するために本発明は、以下の構成を有するものである。
【００２４】
本発明の請求項１に記載の発明は、表示手段にメニュー部の名称を表わす複数のタグ部を表示すると共に、選択釦の操作によって所定のタグ部の選択を行った後、制御手段がこの選択されたタグ部の内容をメニュー部に表示するようにして携帯端末装置を構成したものであり、表示手段に表示されている所定のメニュー部以外のタグ部も表示させることによって、タグ部の選択を行うだけで、他のメニュー部へ直ちに切り替えられるため、操作回数が少なく、使い易い携帯端末装置を得ることができるという作用を有する。
【００２５】
請求項２に記載の発明は、請求項１記載の発明において、選択釦を上下又は左右の何れかの方向に回転する略円柱状の形状とし、この選択釦の回転操作に応じて、メニュー部又はタグ部の選択を行うものであり、メニュー部やタグ部の選択を行う際、選択釦から指を離さず、指を触れたままで回転操作して、カーソルやメニュー部に表示された機能等を上下又は左右方向に移動させることができるため、素早く誤操作のない操作が可能となるという作用を有する。
【００２６】
請求項３に記載の発明は、請求項２記載の発明において、メニュー部に表示された複数の機能を略円弧状に配列したものであり、略円柱状の選択釦の形状に合わせ、メニュー部の複数の機能の表示を略円弧状に配列することにより、選択釦の操作と表示されたカーソルやメニュー部に表示された機能等の動きに一致した感触が得られ、更に使い易くすることができるという作用を有する。
【００２７】
請求項４に記載の発明は、請求項１記載の発明において、メニュー部の選択された所定の機能を他の機能に比べて大きく表示したものであり、選択しようとする内容が分かり易くなり、選択操作を行い易くできるという作用を有する。
【００２８】
請求項５に記載の発明は、請求項１記載の発明において、選択釦又は決定釦の少なくとも一方を透明タッチパネルとし、これを表示手段の前面に配置したものであり、機能が表示された画面上で操作が行えるため、画面と連動した容易な操作を実現できるという作用を有する。
【００２９】
請求項６に記載の発明は、請求項１記載の発明において、選択釦の操作によって複数の機能を選択し、この組合せを新たな機能として制御手段が記憶するものであり、様々な数値や文字を組合せることによって、新たな機能を容易に付加することができるという作用を有する。
【００３０】
請求項７に記載の発明は、請求項６記載の発明において、選択釦の所定時間の継続操作によって選択された機能を、制御手段が新たな機能として記憶するものであり、複雑な操作を行うことなく、新たな機能を付加することができるという作用を有する。
【００３１】
請求項８に記載の発明は、請求項１記載の発明において、操作手段が所定時間操作されていないことを制御手段が検出し、表示手段の表示をＯＦＦするものであり、所定時間操作が行われない場合には、自動的に表示をＯＦＦすることによって、消費電力を低減することができるという作用を有する。
【００３２】
【発明の実施の形態】
以下、本発明の実施の形態について、図１〜図６を用いて説明する。
【００３３】
なお、従来の技術の項で説明した構成と同一構成の部分には同一符号を付して、詳細な説明を省略する。
【００３４】
（実施の形態１）
実施の形態１を用いて、本発明の特に請求項１〜４記載の発明について説明する。
【００３５】
図１は本発明の第１の実施の形態による携帯端末装置の外観図、図２は同ブロック回路図であり、同図において、この携帯端末装置の左方前面には、液晶表示素子等の表示手段１１が設けられている。
【００３６】
そして、この表示手段１１には、ＴＶの電源のＯＮ／ＯＦＦを表わす「Ｐｏｗｅｒ　ＯＮ／ＯＦＦ　ＴＶ」やＴＶのチャンネルを表わす「１」，「２」等が機能として略円弧状に配列されたメニュー部２０Ａが表示されている。
【００３７】
また、このメニュー部２０Ａの上方には、このメニュー部２０Ａの名称を表わすタグ部２１Ａの「ＴＶ」に加え、「ＶＣＲ」，「ＳＴＢ」等の他の複数のタグ部２１Ｂ，２１Ｃも表示されている。
【００３８】
そして、携帯端末装置の右方前面には、左方向の選択釦１２Ｆや右方向の選択釦１２Ｇ、決定釦１２Ｃ、電源釦１２Ａ等が配設されると共に、これら釦の背後には押圧操作によって電気的接離を行うスイッチが各々配設されている。
【００３９】
また、左方向の選択釦１２Ｆと右方向の選択釦１２Ｇの間には、上下方向に回転する円柱状の上下方向の選択釦１２Ｄが配設されると共に、この背後には選択釦１２Ｄの回転操作によって動作する回転型エンコーダが連結されて、操作手段１２が形成されている。
【００４０】
そして、携帯端末装置の内部にはマイクロコンピュータ等によって制御手段１３が形成されると共に、この制御手段１３からの電気信号を赤外光信号に変換して送信する赤外発光ダイオード等の送信手段４が表示手段１１の上方に配設され、この送信手段４や操作手段１２、表示手段１１が制御手段１３に接続されて、携帯端末装置が構成されている。
【００４１】
以上の構成において、この携帯端末装置をリモコンとして用いて、例えばＴＶやＶＣＲのチャンネル選択や電源のＯＮ／ＯＦＦ等の遠隔操作を行う場合について説明する。
【００４２】
先ず、電源釦１２Ａを押圧操作すると、制御手段１３がこれを検出して、図１の表示手段１１に示すような、ＴＶのメニュー部２０Ａと、このメニュー部２０Ａのタグ部２１Ａ及びこれ以外の複数のタグ部２１Ｂ，２１Ｃが表示される。
【００４３】
つまり、従来の技術の場合のように、先ず、複数の機器が表示された初期画面が表示され、その後、操作しようとする機器を決定釦で選択して、その機器のメニュー画面が表示されるのではなく、電源釦１２Ａの操作によって所定のメニュー部２０Ａとこのタグ部２１Ａ及び他のタグ部２１Ｂ，２１Ｃが同時に表示される。
【００４４】
そして、この時、表示内容の選択を行う半透明のカーソル２２は画面のほぼ中央に固定されて表示され、このカーソル２２によって選択された所定の機能としての表示「Ｐｏｗｅｒ　ＯＮ／ＯＦＦ　ＴＶ」は「１」，「２」等の他の機能の表示に比べ大きな字体で表示されている。
【００４５】
ここで、例えばＴＶのチャンネルを「２」に設定する場合について説明する。
【００４６】
先ず、「２」は中央のカーソル２２の下方向に位置しているため、上下方向の選択釦１２Ｄを上方向に回転操作すると、この動きに連動した回転型エンコーダの動作を制御手段１３が検出して、メニュー部２０Ａに表示された各機能は各々上方向に移動する。
【００４７】
つまり、表示「Ｐｏｗｅｒ　ＯＮ／ＯＦＦ　ＴＶ」はカーソル２２からはずれ上方向に、表示「１」はカーソル２２の箇所に移動し、続けてこの選択釦１２Ｄに指を触れたままで上方向に回転操作すると、表示「１」はカーソル２２の上方向に、表示「２」はカーソル２２の箇所に移動する。
【００４８】
そして、この「２」をカーソル２２が選択し大きく表示した状態で、決定釦１２Ｃを押圧操作すると、制御手段１３がこれを検出して「２」に対応した遠隔操作の電気信号を出力し、この電気信号を送信手段４が赤外光信号としてＴＶへ送信することによりＴＶが遠隔操作されて、ＴＶのチャンネルが「２」に設定される。
【００４９】
次に、遠隔操作する機器をＴＶからＶＣＲに切り替え、ＶＣＲの電源のＯＮ／ＯＦＦを行う場合について説明する。
【００５０】
先ず、選択しようとする「ＶＣＲ」のタグ部２１Ｂは、現在メニュー部２０Ａが表示されている「ＴＶ」のタグ部２１Ａの右方向に位置しているため、右方向の選択釦１２Ｇを１回押圧操作すると、制御手段１３がこれを検出して、タグ部２１Ｂが選択される。
【００５１】
すると、図３の画面表示図に示すような、ＶＣＲの電源のＯＮ／ＯＦＦを表わす「Ｐｏｗｅｒ　ＯＮ／ＯＦＦ　ＶＣＲ」やＶＣＲの録画を表わす「ｒｅｃ」等のＶＣＲの各機能が表示されたメニュー部２０Ｂが表示手段１１に表示される。
【００５２】
なお、このようにメニュー表示がメニュー部２０Ａからメニュー部２０Ｂに変わった状態でも、「ＴＶ」のタグ部２１Ａや「ＳＴＢ」のタグ部２１Ｃは表示されたままとなっている。
【００５３】
そして、この時、半透明のカーソル２２は画面のほぼ中央に固定されて表示され、表示「Ｐｏｗｅｒ　ＯＮ／ＯＦＦ　ＶＣＲ」がこのカーソル２２によって選択されている。
【００５４】
この状態からＶＣＲの電源をＯＮする場合には、このまま決定釦１２Ｃを押圧操作すると、制御手段１３がこれに対応した遠隔操作の電気信号を出力し、送信手段４から赤外光信号がＶＣＲへ送信されて、ＶＣＲの電源がＯＮとなる。
【００５５】
このように本実施の形態によれば、表示手段１１にメニュー部の名称を表わす複数のタグ部２１Ａ，２１Ｂ，２１Ｃを表示すると共に、左方向の選択釦１２Ｆや右方向の選択釦１２Ｇの操作によって所定のタグ部の選択を行った後、制御手段１３がこの選択されたタグ部の内容をメニュー部に表示させることによって、表示手段１１に表示されているタグ部の選択を行うだけで、他のメニュー部へ直ちに切り替えられるため、操作回数が少なく、使い易い携帯端末装置を得ることができるものである。
【００５６】
また、上下方向の選択釦１２Ｄを上下方向に回転する略円柱状の形状とし、この選択釦１２Ｄの回転操作に応じて、メニュー部の選択を行うものとすることによって、メニュー部の選択を行う際、上下方向の選択釦１２Ｄから指を離さず、指を触れたままで回転操作して、メニュー部に表示された２チャンネル等の機能を上下方向に移動させることができるため、素早く誤操作のない操作ができる。
【００５７】
そして、この略円柱状の選択釦１２Ｄの形状に合わせ、メニュー部の複数の機能の表示を略円弧状に配列することによって、選択釦１２Ｄの操作とメニュー部に表示された機能等の動きに一致した感触が得られ、更に使い易くすることができる。
【００５８】
また、メニュー部の選択された所定の機能を他の機能に比べて大きく表示することによって、選択しようとする内容が分かり易くなり、選択操作を行い易くできる。
【００５９】
なお、以上の説明では、決定釦１２Ｃを上下方向の選択釦１２Ｄの下方に配設する構成として説明したが、選択釦１２Ｄを上下方向の回転操作に加え前後方向への押圧操作も可能に形成すると共に、この背後に押圧操作によって電気的接離を行うスイッチを配設して、選択釦１２Ｄに決定釦１２Ｃを一体化した構成とすれば、機能の選択に加え、決定も一つの選択釦１２Ｄでできるため、さらに使い易いものとすることができる。
【００６０】
さらに、選択釦１２Ｄを球状とし、左方向の選択釦１２Ｆや右方向の選択釦１２Ｇも一体化した構成とすることも可能である。
【００６１】
また、選択釦１２Ｄは表示手段１１の右方前面の他、携帯端末装置の右方側面等に配設しても良い。
【００６２】
なお、一例として３つのタグ部２１Ａ，２１Ｂ，２１Ｃを用いて説明したが、タグ部の数に制限はなく、多過ぎて見づらい場合には左方向の選択釦１２Ｆや右方向の選択釦１２Ｇによって、タグ部の表示を左右方向へ順に送るようにして全てを表示できるようにしても良い。
【００６３】
（実施の形態２）
実施の形態２を用いて、本発明の特に請求項５〜８記載の発明について説明する。
【００６４】
図４は本発明の第２の実施の形態による携帯端末装置の外観図、図５は同ブロック回路図であり、同図において、携帯端末装置の左方前面に表示手段１１が形成されていることは実施の形態１の場合と同様である。
【００６５】
また、この表示手段１１には、同様に、ＴＶの機能が表示されたメニュー部２０Ａと、このメニュー部２０Ａのタグ部２１Ａ、及び他のタグ部２１Ｂ，２１Ｃが表示されている。
【００６６】
そして、携帯端末装置の右方前面には、左方向の選択釦１２Ｆや右方向の選択釦１２Ｇ、上下方向の選択釦１２Ｄ、電源釦１２Ａ等が配設されて、操作手段１５が形成されている。
【００６７】
しかし、決定釦は上下方向の選択釦１２Ｄの下方に配設された実施の形態１とは異なり、下面に透明な酸化インジウム錫等の上電極が形成された可撓性を有する上基板と、上面にこの上電極と所定の間隙を空けて対向する下電極が形成された下基板からなる、所謂、透明タッチパネル１６として構成されて、表示手段１１の前面に配置されている。
【００６８】
そして、携帯端末装置の内部には制御手段１３が形成されると共に、表示手段１１の上方に送信手段４が配設され、この送信手段４や操作手段１５、表示手段１１に加えて、透明タッチパネル１６が制御手段１３に接続されて、携帯端末装置が構成されている。
【００６９】
以上の構成において、この携帯端末装置をリモコンとして用いた、例えばＴＶを通常のアンテナで受信する１２チャンネル程度の選局とは異なり、衛星通信やケーブルＴＶ等の多チャンネルの選局が可能な、所謂、ＳＴＢのチャンネルを「２１３」に設定する場合について説明する。
【００７０】
先ず、電源釦１２Ａを押圧操作した後、実施の形態１の場合と同様にタグ部を選択して、遠隔操作する機器をＴＶからＳＴＢに切り替えると、制御手段１３がこれを検出して、図６（ａ）に示すように、ＳＴＢのチャンネルを表わす「１」，「２」等の多チャンネルの選局機能が表示されたメニュー部２０Ｃと、このメニュー部２０Ｃのタグ部２１Ｃ、及びこれ以外の複数のタグ部２１Ａ，２１Ｂが表示される。
【００７１】
そして、この時、表示内容の選択を行う半透明のカーソル２２は画面のほぼ中央に固定されて表示され、このカーソル２２によって選択された機能のチャンネル「３」の表示は「１」，「２」等の他の選局機能の表示に比べ大きな字体で表示されている。
【００７２】
また、この「３」の左横には、複数の機能の組合せを新たな機能として表示することを表わす「←」と、現在カーソル２２によって選択された「３」が他の機能の表示に比べ大きく表示されている。
【００７３】
なお、この「３」の前面には透明タッチパネル１６として構成された決定釦１６Ａが配置されている。
【００７４】
ここで、ＳＴＢのチャンネル「２１３」の最初の数値「２」を選択しようとする場合には、この「２」は中央のカーソル２２の上方向に位置しているため、上下方向の選択釦１２Ｄを下方向に回転操作すると、実施の形態１の場合と同様に、メニュー部２０Ｃに表示された各機能は各々下方向に移動する。
【００７５】
つまり、図６（ｂ）に示すように、表示「３」はカーソル２２からはずれて下方向に移動し、表示「２」がカーソル２２の箇所に移動するため、「３←３」の代わりに「２←２」が他の機能の表示に比べ大きく表示される。
【００７６】
そして、この「２←２」が表示された状態で、例えば１秒以上の所定時間が経過すると、制御手段１３が「←」の左側の「２」を記憶する。
【００７７】
そして、この後、継続して選択釦１２Ｄを下方向に回転操作して「１」をカーソル２２の位置に移動すると、図６（ｃ）に示すように、制御手段１３は既に「２」を記憶しているため、「←１」の左横には記憶した「２」と新たに選択された「１」が並んだ状態で、２桁の「２１←１」と表示される。
【００７８】
そして、この「２１←１」が表示された状態で、同様にして、所定時間が経過すると、制御手段１３は「←」の左側の「２１」を新たな機能として記憶する。
【００７９】
この後、さらに、同様にして、選択釦１２Ｄを継続して回転操作し「３」をカーソル２２の位置に移動すると、図６（ｄ）に示すように、「２１３←３」が表示され、この状態で、所定時間が経過すると、制御手段１３が「←」の左側の３桁の「２１３」を新たな機能として記憶する。
【００８０】
そして、この状態で「２１３」の前面に配置された決定釦１６Ａを押圧操作すると、制御手段１３がこれを検出し、「２１３」に対応した遠隔操作の電気信号を出力し、送信手段４がこの電気信号を赤外光信号としてＳＴＢへ送信することにより、ＳＴＢのチャンネルが「２１３」に設定される。
【００８１】
このように本実施の形態によれば、決定釦１６Ａを透明タッチパネル１６とし、これを表示手段１１の前面に配置することによって、機能が表示された表示手段１１上で操作が行えるため、画面と連動した容易な操作を実現できるものである。
【００８２】
そして、上下方向の選択釦１２Ｄの操作によって、複数の機能として例えば「２」，「１」，「３」を選択し、この組合せとしての「２１３」を新たな機能として制御手段１３が記憶することによって、様々な数値を組合せることにより、桁数の多い数値を新たな機能として容易に付加することができるため、ＳＴＢのようにチャンネルが３桁以上ある操作に対しても容易に対応することができる。
【００８３】
また、上下方向の選択釦１２Ｄの所定時間の継続操作、例えば「２」，「１」，「３」等の機能を選択した後１秒以上の時間が経過すると、制御手段１３がこれらを記憶することによって、複雑な操作を行うことなく、「２１３」等の新たな数値の機能を付加することができる。
【００８４】
更に、所定時間、操作手段１５や透明タッチパネル１６が操作されていないことを制御手段１３が検出し、表示手段の表示をＯＦＦするように構成することによって、例えば２０〜３０分といった時間操作が行われない場合には、自動的に表示をＯＦＦすることにより、消費電力を低減することができる。
【００８５】
なお、以上の説明では、携帯端末装置をＳＴＢ等の機器に向けて単方向の通信を行うものとして説明したが、機器から携帯端末装置への通信も行う、所謂、双方向通信が行えるようにしても本発明の実施は可能である。
【００８６】
例えば、携帯端末装置に、本実施の形態で説明した構成に加えて、赤外光信号を受信してこれを電気信号に変換するフォトダイオード等の受信手段を設けると共に、機器に赤外光信号を送信する送信手段を設けて、携帯端末装置と機器との間で双方向通信が行えるようにし、機器と携帯端末装置の間で例えば番組案内に関する情報等を送受信し、表示手段１１にこれらを表示することも可能である。
【００８７】
また、送信手段４から赤外光信号を送信してＳＴＢ等の機器を遠隔操作するものとしたが、電波等によって機器を遠隔操作するものとしても良い。
【００８８】
そして、カーソル２２が画面のほぼ中央に固定表示されたものとして説明したが、従来の技術の場合のように、カーソルが上下左右方向の選択釦によって上下左右方向に移動して、メニュー部の所定の機能を選択するものとしたり、このカーソルによって、複数のタグ部の中から所定のタグ部も選択できるようにしても良い。
【００８９】
さらに、以上の説明では、携帯端末装置を多くの機器を遠隔操作できるリモコンとして説明したが、この携帯端末装置を例えばＳＴＢ機器のみを遠隔操作できる専用リモコンとして用いて、タグ部に操作するＳＴＢ機器に特有な機能の名称を表示するようにしても良い。
【００９０】
また、携帯端末装置の決定釦を透明タッチパネルとし、これを表示手段の前面に配置したものとして説明したが、選択釦を透明タッチパネルとしても良い。
【００９１】
【発明の効果】
以上のように本発明によれば、操作回数が少なく、使い易い携帯端末装置を得ることができるという有利な効果が得られる。
【図面の簡単な説明】
【図１】本発明の第１の実施の形態による携帯端末装置の外観図
【図２】同ブロック回路図
【図３】同画面表示図
【図４】本発明の第２の実施の形態による携帯端末装置の外観図
【図５】同ブロック回路図
【図６】同画面表示図
【図７】従来の携帯端末装置の外観図
【図８】同ブロック回路図
【図９】同画面表示図
【符号の説明】
４　送信手段
１１　表示手段
１２，１５　操作手段
１２Ａ　電源釦
１２Ｃ，１６Ａ　決定釦
１２Ｄ　上下方向の選択釦
１２Ｆ　左方向の選択釦
１２Ｇ　右方向の選択釦
１３　制御手段
１６　透明タッチパネル
２０Ａ，２０Ｂ，２０Ｃ　メニュー部
２１Ａ，２１Ｂ，２１Ｃ　タグ部
２２　カーソル
【図１】
2004064269.tif 000003
【図２】
2004064269.tif 000004
【図３】
2004064269.tif 000005
【図４】
2004064269.tif 000006
【図５】
2004064269.tif 000007
【図６】
2004064269.tif 000008
【図７】
2004064269.tif 000009
【図８】
2004064269.tif 000010
【図９】
2004064269.tif 000011